【事件の表示】
　特願２００３−３３６７１３「ＤＣファンモータのスイッチ駆動回路」拒絶査定不服審判事件〔平成１７年　１月２０日出願公開、特開２００５−　２０９８２〕について、次のとおり審決する。
【結　論】
　本件審判の請求は、成り立たない。
【理　由】
１．手続の経緯・本願発明
　本願は、平成１５年９月２９日（優先権主張平成１５年６月２６日）の出願であって、平成１８年１０月５日付で拒絶査定がなされ、これに対し、同年１２月２７日に拒絶査定不服審判請求がされるとともに、手続補正がなされたものである。
　平成１８年１２月２７日付手続補正書によって特許請求の範囲についてされた補正は、「OFF状態にあり、且つ」という記載を、「ＯＦＦ状態にあると同時に、」とするものであるから、平成１８年改正前特許法第１７条の２第４項第４号に掲げる明りょうでない記載の釈明を目的とするものに該当する。
　よって、本願の請求項１に係る発明（以下「本願発明」という。）は、上記手続補正書の特許請求の範囲の請求項１に記載された次の事項により特定されるとおりのものと認める。
「第一パルス幅変調信号及び第二パルス幅変調信号により駆動される複数のスイッチと、
　前記第一パルス幅変調信号により駆動される前記複数のスイッチのうちの少なくとも一つと電気的に接続され、第三パルス幅変調信号により駆動される第一制御回路と、
　前記第二パルス幅変調信号により駆動される前記複数のスイッチのうちの少なくとも一つと電気的に接続され、第四パルス幅変調信号により駆動される第二制御回路とを含むＤＣファンモータのスイッチ駆動回路であって、
　前記第一パルス幅変調信号が低レベルにあるとき、前記第一パルス幅変調信号により駆動される前記複数のスイッチがＯＦＦ状態にあると同時に、前記第三パルス幅変調信号が前記第一制御回路を駆動し、前記第一パルス幅変調信号により駆動される前記複数のスイッチをＯＦＦ状態にロックし、
　前記第二パルス幅変調信号が低レベルにあるとき、前記第二パルス幅変調信号により駆動される前記複数のスイッチがＯＦＦ状態にあると同時に、前記第四パルス幅変調信号が前記第二制御回路を駆動し、前記第二パルス幅変調信号により駆動される前記複数のスイッチをＯＦＦ状態にロックする
ことを特徴とするＤＣファンモータのスイッチ駆動回路。」
　
２．引用例
　原査定の拒絶の理由に引用された特開２００３−６１３６６号公報（以下、「引用例」という。）には、図面と共に以下の事項が記載されている。
　
　・「【０００８】本発明は、上記課題に鑑みなされたものであり、貫通電流の発生を防止しつつ、キックバックの影響を効果的に減少することができるモータドライブ回路を提供することを目的とする。」
　
　・「【００１７】従って、ソース側トランジスタ１０ａと、シンク側トランジスタ１２ｂをオンすることでモータコイル１４に図における右に向けて電流が流れ、ソース側トランジスタ１２ａと、シンク側トランジスタ１０ｂをオンすることで、モータコイル１４に図における左に向けて電流が流れる。」
　
　・「【００２０】ソース側トランジスタ１０ａのゲートには、インバータ１６を介しＰＷＭ信号が供給される。なお、ソース側トランジスタ１２ａのゲートには、ソース側トランジスタ１０ａのゲートに供給されるＰＷＭドライブ信号と逆相のＰＷＭ信号が供給される。
【００２１】なお、インバータ１６は、電源側のｐチャンネルトランジスタ１６ａとグランド側のｎチャンネルトランジスタ１６ｂの直列接続からなり、ｐチャンネルトランジスタ１６ａが接続される電源は上述の電源ＶＭより電圧が高い電源ＶＧになっている。この電源ＶＧは、ｎチャンネルトランジスタ１０ａをオンするために電源ＶＭより３．５Ｖ程度高い９．５Ｖ程度に設定されている。そして、入力信号のゲートに入力され、ｐチャンネルトランジスタ１６ａ、ｎチャンネルトランジスタ１６ｂの中間点からの出力がソース側トランジスタ１０ａのゲートに供給される。
【００２２】シンク側トランジスタ１０ｂのゲートには、抵抗１８を介し、インバータ２０が接続されている。このインバータ２０は、ｐチャンネルトランジスタ２０ａとｎチャンネルトランジスタ２０ｂとからなり、ｐチャンネルトランジスタ２０は、電源ＶＧに接続されている。そして、中間点とｎチャンネルトランジスタ２０ｂとの間には抵抗２２が挿入配置されている。
【００２３】そして、このインバータ２０のｐチャンネルトランジスタ２０ａとｎチャンネルトランジスタ２０ｂのゲートには、インバータ２４の出力が接続されている。このインバータ２４も電源ＶＧとグランドの間に配置されたｐチャンネルトランジスタ２４ａと、ｎチャンネルトランジスタ２４ｂの直列接続からなっており、両トランジスタの接続点が出力、両トランジスタのゲートにＰＷＭドライブ信号が供給される。
【００２４】そして、インバータ２０の出力には、他端がグランドに接続された引き抜き用ｐチャンネルトランジスタ（引き抜き用トランジスタ）２６が接続されており、この引き抜き用トランジスタ２６のゲートには、インバータ２４への入力が供給されるＰＷＭ信号が供給されている。
【００２５】なお、図示は省略したが、ソース側トランジスタ１２ａのゲートには、インバータ１６と同様の回路が接続され、シンク側トランジスタ１２ｂのゲートには、インバータ２０，２４およびトランジスタ２６と同様の回路が接続されている。
【００２６】次に、本実施形態の回路の動作について説明する。まず、デジタルカメラの全体動作を制御するための制御装置（例えば、ＣＰＵ）から、ボイスコイルの動作を決定する信号が出力される。ＣＰＵがＰＷＭの出力ポートを有していれば、ここからＰＷＭ信号（第１および第２ＰＷＭ信号）が出力される。このＰＷＭ信号のデューティー比は、ＣＰＵが各種信号に基づいて決定する。
【００２７】第１ＰＷＭ信号は、インバータ１６を介し、トランジスタ１０ａのゲートに供給されるとともに、インバータ２４、２０を介し、トランジスタ１０ｂのゲートに供給される。従って、トランジスタ１０ａ、１０ｂは逆相で駆動される。」
　
　・「【００３３】本実施形態では、トランジスタ２６を有している。そして、このトランジスタ２６のゲートには、第１ＰＷＭ信号がそのまま供給されている。そこで、トランジスタ１０ｂをオンするときには、トランジスタ２６はオフであるが、トランジスタ１０ｂをオフするために第１ＰＷＭ信号がＬになったときに、すぐにオンになる。これによって、トランジスタ１０ｂのゲートからトランジスタ２６を介し、グランドに電流が流れ、トランジスタ１０ｂのゲートは速やかに低下していく。そして、トランジスタ１０ｂのゲート電位が４Ｖ程度以下になると、トランジスタ２６のゲートとドレインの電位差が十分でなくなり、トランジスタ２６はオフとなる。」
　
　・「【００３８】上述の説明では、トランジスタ１０ａ、１０ｂについてのみ記載したが、トランジスタ１２ａ、１２ｂについても同様である。
【００３９】さらに、上述の例では、ボイスコイルモータについて説明したが、ステッピングモータや、ブラシ付きＤＣモータなどにおいても、同様に適用することができる。この場合には、コイル数が増加し、それに対応してソース側トランジスタおよびシンク側トランジスタの数が増加する。
【００４０】また、上記例では、ソース側トランジスタ１０ａ、１２ａについては、引き抜き用のトランジスタ２６を設けなかったが、シンク側トランジスタ１０ｂ、１２ｂと同様のドライブ回路構成として、引き抜き用のトランジスタを設けてもよい。」
　
　・また、図１には、インバータ２０から信号が入力されるシンク側ｎチャンネルトランジスタ１０ｂと電気的に接続され、第１ＰＷＭ信号が供給される引き抜き用ｐチャンネルトランジスタ２６と、インバータ１６から信号が入力されるソース側ｎチャンネルトランジスタ１０ａと、ソース側ｎチャンネルトランジスタ１２ａとシンク側ｎチャンネルトランジスタ１２ｂとを含むモータドライブ回路が示されている。
　
　上記【００１７】【００２０】【００２５】【００２７】【００３８】【００４０】の記載から、シンク側ｎチャンネルトランジスタ１０ｂとソース側ｎチャンネルトランジスタ１２ａの２つのトランジスタは実質的に同等の信号により駆動されており、シンク側ｎチャンネルトランジスタ１２ｂとソース側ｎチャンネルトランジスタ１０ａの２つのトランジスタは実質的に同等の信号により駆動されており、且つ、前者の２つのトランジスタと、後者の２つのトランジスタは逆相で駆動されていると認められる。
　
　そこで、前者の２つのトランジスタを駆動する実質的に同等の信号を「インバータ２０からシンク側ｎチャンネルトランジスタ１０ｂのゲートへ供給されるＰＷＭ信号」で代表し、後者の２つのトランジスタを駆動する実質的に同等の信号を「インバータ１６からソース側ｎチャンネルトランジスタ１０ａのゲートに供給されるＰＷＭ信号」で代表し、上記記載事項及び図示内容を総合すると、引用例には、次の発明（以下、「引用発明」という。）が記載されているものと認められる。
　
「インバータ２０からシンク側ｎチャンネルトランジスタ１０ｂのゲートへ供給されるＰＷＭ信号及びインバータ１６からソース側ｎチャンネルトランジスタ１０ａのゲートに供給されるＰＷＭ信号により駆動されるシンク側ｎチャンネルトランジスタ１０ｂとソース側ｎチャンネルトランジスタ１２ａ、及び、ソース側ｎチャンネルトランジスタ１０ａとシンク側ｎチャンネルトランジスタ１２ｂと、
　前記インバータ２０からシンク側ｎチャンネルトランジスタ１０ｂのゲートへ供給されるＰＷＭ信号により駆動されるトランジスタのうちの少なくともシンク側ｎチャンネルトランジスタ１０ｂと電気的に接続され、第１ＰＷＭ信号が供給される引き抜き用ｐチャンネルトランジスタと、
　前記インバータ１６からソース側ｎチャンネルトランジスタ１０ａのゲートに供給されるＰＷＭ信号により駆動されるトランジスタのうちの少なくともシンク側ｎチャンネルトランジスタ１２ｂと電気的に接続され、第２ＰＷＭ信号が供給される引き抜き用ｐチャンネルトランジスタとを含むＤＣモータドライブ回路であって、
　前記インバータ２０からシンク側ｎチャンネルトランジスタ１０ｂのゲートへ供給されるＰＷＭ信号をＬにして、前記インバータ２０からシンク側ｎチャンネルトランジスタ１０ｂのゲートへ供給されるＰＷＭ信号により駆動される前記シンク側ｎチャンネルトランジスタ１０ｂ及びこれと同等に駆動されるソース側ｎチャンネルトランジスタ１２ａをオフにしたときに、すぐに、前記第１ＰＷＭ信号が前記引き抜き用ｐチャンネルトランジスタをオンにして、前記インバータ２０からシンク側ｎチャンネルトランジスタ１０ｂのゲートへ供給されるＰＷＭ信号により駆動される前記シンク側ｎチャンネルトランジスタ１０ｂ及びこれと同等に駆動されるソース側ｎチャンネルトランジスタ１２ａのゲートから引き抜き用ｐチャンネルトランジスタを介しグランドに電流が流れるようにし、
　シンク側ｎチャンネルトランジスタ１２ｂ及びソース側ｎチャンネルトランジスタ１０ａについても、シンク側ｎチャンネルトランジスタ１０ｂ及びソース側ｎチャンネルトランジスタ１２ａと同様にゲートから引き抜きトランジスタを介してグランドに電流が流れるようにする
ＤＣモータドライブ回路。」
　
３．対比
　そこで、本願発明と引用発明とを対比すると、
後者における「インバータ２０からシンク側ｎチャンネルトランジスタ１０ｂのゲートへ供給されるＰＷＭ信号」が前者における「第一パルス幅変調信号」に相当し、以下同様に、
「インバータ１６からソース側ｎチャンネルトランジスタ１０ａのゲートに供給されるＰＷＭ信号」が「第二パルス幅変調信号」に、
「シンク側ｎチャンネルトランジスタ１０ｂとソース側ｎチャンネルトランジスタ１２ａ、及び、ソース側ｎチャンネルトランジスタ１０ａとシンク側ｎチャンネルトランジスタ１２ｂ」が「複数のスイッチ」に、それぞれ相当している。
　ここで、本願発明における「第一パルス幅変調信号」と「第三パルス幅変調信号」について検討するに、両信号が互に、どのように異なる信号であるのかは、本願明細書中に何等説明もしくは定義付がなされておらず、また、本願発明に対応する唯一の実施例である実施例１において、スイッチ（２０３）を駆動する信号と、当該スイッチ（２０３）と電気的に接続された第一制御回路（制御回路２０５）を駆動する信号とは、共にＰＷＭ信号Ａであって異なる信号を用いてないことを参酌すると、本願発明における「第一パルス幅変調信号」と「第三パルス幅変調信号」という名称は、信号を入力する対象が異なるから名称を異にしたという程度の意味合いにすぎないと解される。そして、第二パルス幅変調信号と第四パルス幅変調信号も同様に解されるから、後者の「インバータ２０からシンク側ｎチャンネルトランジスタ１０ｂのゲートへ供給されるＰＷＭ信号により駆動されるトランジスタのうちの少なくともシンク側ｎチャンネルトランジスタ１０ｂと電気的に接続され、第１ＰＷＭ信号が供給される引き抜き用ｐチャンネルトランジスタ」が前者の「第一パルス幅変調信号により駆動される前記複数のスイッチのうちの少なくとも一つと電気的に接続され、第三パルス幅変調信号により駆動される第一制御回路」に相当しており、
後者の「インバータ１６からソース側ｎチャンネルトランジスタ１０ａのゲートに供給されるＰＷＭ信号により駆動されるトランジスタのうちの少なくともシンク側ｎチャンネルトランジスタ１２ｂと電気的に接続され、第２ＰＷＭ信号が供給される引き抜き用ｐチャンネルトランジスタ」が前者の「第二パルス幅変調信号により駆動される前記複数のスイッチのうちの少なくとも一つと電気的に接続され、第四パルス幅変調信号により駆動される第二制御回路」に相当している。
　更に、後者の「ＤＣモータドライブ回路」と前者の「ＤＣファンモータのスイッチ駆動回路」とは、「ＤＣモータのスイッチ駆動回路」との概念で共通する。
　加えて、後者の「前記インバータ２０からシンク側ｎチャンネルトランジスタ１０ｂのゲートへ供給されるＰＷＭ信号をＬにして、前記インバータ２０からシンク側ｎチャンネルトランジスタ１０ｂのゲートへ供給されるＰＷＭ信号により駆動される前記シンク側ｎチャンネルトランジスタ１０ｂ及びこれと同等に駆動されるソース側ｎチャンネルトランジスタ１２ａをオフにしたときに、すぐに、前記第１ＰＷＭ信号が前記引き抜き用ｐチャンネルトランジスタをオンにして、前記インバータ２０からシンク側ｎチャンネルトランジスタ１０ｂのゲートへ供給されるＰＷＭ信号により駆動される前記シンク側ｎチャンネルトランジスタ１０ｂ及びこれと同等に駆動されるソース側ｎチャンネルトランジスタ１２ａのゲートから引き抜き用ｐチャンネルトランジスタを介しグランドに電流が流れるようにし」た態様が、前者の「　前記第一パルス幅変調信号が低レベルにあるとき、前記第一パルス幅変調信号により駆動される前記複数のスイッチがＯＦＦ状態にあると同時に、前記第三パルス幅変調信号が前記第一制御回路を駆動し、前記第一パルス幅変調信号により駆動される前記複数のスイッチをＯＦＦ状態にロックし」た態様に相当し、
後者の「シンク側ｎチャンネルトランジスタ１２ｂ及びソース側ｎチャンネルトランジスタ１０ａについても、シンク側ｎチャンネルトランジスタ１０ｂ及びソース側ｎチャンネルトランジスタ１２ａと同様にゲートから引き抜きトランジスタを介してグランドに電流が流れるようにする」態様が前者の「前記第二パルス幅変調信号が低レベルにあるとき、前記第二パルス幅変調信号により駆動される前記複数のスイッチがＯＦＦ状態にあると同時に、前記第四パルス幅変調信号が前記第二制御回路を駆動し、前記第二パルス幅変調信号により駆動される前記複数のスイッチをＯＦＦ状態にロックする」態様に相当している。
　
　したがって、両者は、
「第一パルス幅変調信号及び第二パルス幅変調信号により駆動される複数のスイッチと、
　前記第一パルス幅変調信号により駆動される前記複数のスイッチのうちの少なくとも一つと電気的に接続され、第三パルス幅変調信号により駆動される第一制御回路と、
　前記第二パルス幅変調信号により駆動される前記複数のスイッチのうちの少なくとも一つと電気的に接続され、第四パルス幅変調信号により駆動される第二制御回路とを含むＤＣモータのスイッチ駆動回路であって、
　前記第一パルス幅変調信号が低レベルにあるとき、前記第一パルス幅変調信号により駆動される前記複数のスイッチがＯＦＦ状態にあると同時に、
前記第三パルス幅変調信号が前記第一制御回路を駆動し、
前記第一パルス幅変調信号により駆動される前記複数のスイッチをＯＦＦ状態にロックし、
　前記第二パルス幅変調信号が低レベルにあるとき、前記第二パルス幅変調信号により駆動される前記複数のスイッチがＯＦＦ状態にあると同時に、前記第四パルス幅変調信号が前記第二制御回路を駆動し、前記第二パルス幅変調信号により駆動される前記複数のスイッチをＯＦＦ状態にロックする
ことを特徴とするＤＣモータのスイッチ駆動回路。」
の点で一致し、以下の点で相違している。
［相違点］
　駆動回路によって駆動されるＤＣモータが、本願発明は「ＤＣファンモータ」であるのに対し、引用発明ではそのような特定がされていない点。
　
４．判断
　上記相違点について以下検討する。
　トランジスタ等のスイッチ駆動回路でＤＣファンモータを駆動することは例示するまでもなく周知技術であるといえるから、引用発明におけるＤＣモータを前記周知技術に係るＤＣファンモータに置換して、上記相違点に係る本願発明の構成とすることは、当業者にとって容易である。
　
　そして、本願発明の全体構成によって奏される効果も、引用発明及び上記周知技術から当業者が予測し得る範囲内のものである。
　
５．むすび
　したがって，本願発明は，引用発明及び上記周知技術に基づいて当業者が容易に発明をすることができたものであるから，特許法２９条２項の規定により特許を受けることができない。
　よって，結論のとおり審決する。